(57)【要約】【課題】突然の主電源スイッチオフの場合においても作業中のデータを失うことなく処理することができるようにする。【解決手段】制御装置１５０によって所定の制御を実行する機器の電源を切り換える電源切り換え制御回路であって、汎用電源としての第１の外部電源供給源２１０を含む２以上の電源供給手段（第２の外部電源供給源２２０）からの電源供給を切り換えるＮＡＮＤ回路１５４及びスイッチ１５１を備え、電源切り換えは、第１の外部電源供給源２１０からの電源供給回路に設けられたメカニカルスイッチ１１０のオフをメカスイッチ検知部１２０により検知し、かつ、他機器からのデータを受け付けていることを示すデータインを印刷データ検知部１５０により検知したときには、制御装置１５０に供給される電源供給手段を汎用電源である第１の外部電源供給源２１０以外の電源、例えば第２の外部電源供給源２２０に切り換える。【選択図】図１
2010129042.tif 000002
【特許請求の範囲】
【請求項１】
制御装置によって所定の制御を実行する機器の電源を切り換える電源切り換え制御回路であって、
汎用電源を含む２以上の電源供給手段からの電源供給を切り換える電源切り換え手段を備え、
前記電源切り換え手段は、前記汎用電源の電源供給回路に設けられた主電源スイッチのオフをスイッチオフ検知手段により検知し、かつ、他機器からのデータを受け付けていることを示すデータインをデータイン検知手段により検知したときには、前記制御装置に供給される電源供給手段を前記汎用電源以外の電源に切り換えること
を特徴とする電源切り換え制御回路。
【請求項２】
請求項１記載の電源切り換え制御回路と、
他機器からのデータに基づいて画像を形成する画像形成手段と、
を備えていることを特徴とする画像形成装置。
【請求項３】
請求項２記載の画像形成装置であって、
前記他機器から受け付けているデータが印刷ジョブの印刷データであること
を特徴とする画像形成装置。
【請求項４】
請求項３記載の画像形成装置であって、
前記汎用電源以外の電源がネットワーク装置に接続された他の装置から電源入力を受ける電源入力手段であること
を特徴とする画像形成装置。
【請求項５】
請求項４記載の画像形成装置であって、
前記電源入力手段がＰｏＥ電源であること
を特徴とする画像形成装置。
【請求項６】
請求項５記載の画像形成装置であって、
前記ＰｏＥ電源へ切り換わったとき、前記印刷ジョブのステータス情報を保持する第１の記憶手段を備えていること
を特徴とする画像形成装置。
【請求項７】
請求項６記載の画像形成装置であって、
前記ＰｏＥ電源へ切り換わったとき、前記印刷ジョブの印刷データを保持する第２の記憶手段を備えていること
を特徴とする画像形成装置。
【請求項８】
請求項５ないし７のいずれか１項に記載の画像形成装置であって、
前記ＰｏＥ電源へ切り換わったとき、その後の印刷ジョブ要求に対して、印刷ジョブを受け付けることができない旨、前記印刷ジョブの要求元へ通知する通知手段を備えていること
を特徴とする画像形成装置。
【請求項９】
請求項５ないし８のいずれか１項に記載の画像形成装置であって、
前記ＰｏＥ電源に切り換わったとき、前記印刷ジョブのジョブ終了後は、前記ＰｏＥ電源からの電源供給をオフする電源オフ手段を備えていること
を特徴とする画像形成装置。
【請求項１０】
請求項７記載の画像形成装置であって、
前記第２の記憶手段に前記印刷ジョブの印刷データが保持されたとき、その旨、ユーザに通知する通知手段を備えていること
を特徴とする画像形成装置。
【請求項１１】
請求項７記載の画像形成装置であって、
前記主電源スイッチがオンになったとき、前記第１の記憶手段の前記ステータス情報を取得し、当該ステータス情報により印刷ジョブが保持されていることが判明したとき、前記第２の記憶手段に格納されている前記印刷ジョブの印刷データを印刷処理する手段を備えていること
を特徴とする画像形成装置。
【請求項１２】
制御装置によって所定の制御を実行する機器に汎用電源を含む２以上の電源供給手段から供給される電源供給を切り換える電源切り換え制御方法であって、
汎用電源の電源供給回路に設けられた主電源スイッチのオフを検知し、
他機器からのデータを受け付けていることを示すデータインが検知されたとき、
前記制御装置に供給される電源供給手段をネットワーク装置に接続された他の装置からの電源入力手段に切り換えること
を特徴とする電源切り換え制御方法。
【請求項１３】
制御装置によって所定の制御を実行する機器に汎用電源を含む２以上の電源供給手段からの電源供給を切り換える電源切り換え制御をコンピュータによって実行するためのコンピュータプログラムであって、
汎用電源の電源供給回路に設けられた主電源スイッチのオフを検知する第１の手順と、
他機器からのデータを受け付けていることを示すデータインを検知する第２の手順と、
前記第１の手順で前記主電源スイッチのオフを検知し、前記第２の手順で前記データインを検知したとき、前記制御装置に供給される電源供給手段をネットワーク装置に接続された他の装置からの電源入力手段に切り換える第３の手順と、
を備えていることを特徴とするコンピュータプログラム。
【発明の詳細な説明】
【技術分野】
【０００１】
本発明は、ネットワーク装置の相手側装置から電力供給を可能とするＰｏＥ電源（Power Over Ethernet［登録商標］：ＩＥＥＥ８０２．３ａｆで定義された公知の技術、またこれに基づく拡張規格８０２．３ａｔ等も含む）を汎用電源（主電源）の他に備え、稼働中に突然主電源オフとなった際にもホストＰＣから転送される印刷データが消失しないようにした電源切り換え制御回路、この電源切り換え制御回路を備えた画像形成装置、当該画像形成装置における電源切り換え制御方法、及びこの電源切り換え制御方法をコンピュータで実行するためのコンピュータプログラムに関する。
【背景技術】
【０００２】
この種の技術として、例えば特許文献１及び２に記載された発明が知られている。このうち特許文献１に記載された発明は、ローカルエリアネットワークシステムを形成するためにネットワーク関連デバイスによって他のネットワーク装置に接続されたシステム装置であって、ローカルエリアネットワークシステムが通常動作している場合に、前記ネットワーク関連デバイスに対して、前記ネットワーク接続される相手側ネットワーク装置から電力が供給されるＰｏＥ（Power over Ethernet）方式と、前記ネットワーク関連デバイスに対して、前記システム装置側から電力が供給される方式とのどちらかを選択する電源監視手段を有することを特徴とし、これにより、ネットワークシステム全体の消費電力を削減することを意図したものである。
【０００３】
また、特許文献２に記載された発明は、ＰｏＥ電源入力と汎用電源入力とを同時に機器に接続し、該機器への電源供給をＰｏＥ電源と汎用電源とを切り換えて供給するネットワークカメラの電源切換回路であって、クライアントが該ネットワークカメラの動作の制御権を取得したときに電源供給を前記ＰｏＥ電源入力から前記電源入力に切り換えることを特徴とし、これにより、ＰｏＥ電源の供給能力を超える高速なカメラのパン・チルト動作などの高い電力を必要とするときにだけ電源を切り換えて、高度な機能を使えるようにすることを意図している。
【特許文献１】特開２００６−２６０１０８号公報
【特許文献２】特開２００８−０９９０２６号公報
【発明の開示】
【発明が解決しようとする課題】
【０００４】
前記特許文献１記載の発明は、ローカルエリアネットワークシステムが通常動作している場合に、ネットワーク関連デバイスに対してＰｏＥ（Power over Ethernet）［登録商標］方式と、システム装置側から電力が供給される方式とのどちらかを選択し、ネットワークシステム全体の消費電力を削減するようにし、システムが省電力モードに入ったとき、ネットワーク系の電源に切り換えてシステム装置側からの電源を遮断するが、装置可動中の突然の主電源スイッチオフに対応することはできない。
【０００５】
また、特許文献２記載の発明においても、電源供給をＰｏＥ電源と汎用電源とを切り換えて電源供給の要求に応えるようにしているが、特許文献１記載の発明と同様に装置稼働中の突然の主電源スイッチオフに対応することはできない。
【０００６】
そこで、本発明が解決すべき課題は、突然の主電源スイッチオフの場合においても作業中のデータを失うことなく処理することができるようにすることにある。
【課題を解決するための手段】
【０００７】
前記課題を解決するため、第１の手段は、制御装置によって所定の制御を実行する機器の電源を切り換える電源切り換え制御回路であって、汎用電源を含む２以上の電源供給手段からの電源供給を切り換える電源切り換え手段を備え、前記電源切り換え手段は、前記汎用電源の電源供給回路に設けられた主電源スイッチのオフをスイッチオフ検知手段により検知し、かつ、他機器からのデータを受け付けていることを示すデータインをデータイン検知手段により検知したときには、前記制御装置に供給される電源供給手段を前記汎用電源以外の電源に切り換えることを特徴とする。
【０００８】
第２の手段は、第１の手段に係る電源切り換え制御回路と、他機器からのデータに基づいて画像を形成する画像形成手段と、を備えた画像形成装置を特徴とする。
【０００９】
第３の手段は、第２の手段において、前記他機器から受け付けているデータが印刷ジョブの印刷データであることを特徴とする。
【００１０】
第４の手段は、第３の手段において、前記汎用電源以外の電源がネットワーク装置に接続された他の装置から電源入力を受ける電源入力手段であることを特徴とする。
【００１１】
第５の手段は、第４の手段において、前記電源入力手段がＰｏＥ電源であることを特徴とする。
【００１２】
第６の手段は、第５の手段において、前記ＰｏＥ電源へ切り換わったとき、前記印刷ジョブのステータス情報を保持する第１の記憶手段を備えていることを特徴とする。
【００１３】
第７の手段は、第６の手段において、前記ＰｏＥ電源へ切り換わったとき、前記印刷ジョブの印刷データを保持する第２の記憶手段を備えていることを特徴とする。
【００１４】
第８の手段は、第５ないし第７のいずれかの手段において、前記ＰｏＥ電源へ切り換わったとき、その後の印刷ジョブ要求に対して、印刷ジョブを受け付けることができない旨、前記印刷ジョブの要求元へ通知する通知手段を備えていることを特徴とする。
【００１５】
第９の手段は、第５ないし第８のいずれかの手段において、前記ＰｏＥ電源に切り換わったとき、前記印刷ジョブのジョブ終了後は、前記ＰｏＥ電源からの電源供給をオフする電源オフ手段を備えていることを特徴とする。
【００１６】
第１０の手段は、第７の手段において、前記第２の記憶手段に前記印刷ジョブの印刷データが保持されたとき、その旨、ユーザに通知する通知手段を備えていることを特徴とする。
【００１７】
第１１の手段は、第７の手段において、前記主電源スイッチがオンになったとき、前記第１の記憶手段の前記ステータス情報を取得し、当該ステータス情報により印刷ジョブが保持されていることが判明したとき、前記第２の記憶手段に格納されている前記印刷ジョブの印刷データを印刷処理する手段を備えていることを特徴とする。
【００１８】
第１２の手段は、制御装置によって所定の制御を実行する機器に汎用電源を含む２以上の電源供給手段から供給される電源供給を切り換える電源切り換え制御方法であって、汎用電源の電源供給回路に設けられた主電源スイッチのオフを検知し、他機器からのデータを受け付けていることを示すデータインが検知されたとき、前記制御装置に供給される電源供給手段をネットワーク装置に接続された他の装置からの電源入力手段に切り換えることを特徴とする。
【００１９】
第１３の手段は、制御装置によって所定の制御を実行する機器に汎用電源を含む２以上の電源供給手段からの電源供給を切り換える電源切り換え制御をコンピュータによって実行するためのコンピュータプログラムであって、汎用電源の電源供給回路に設けられた主電源スイッチのオフを検知する第１の手順と、他機器からのデータを受け付けていることを示すデータインを検知する第２の手順と、前記第１の手順で前記主電源スイッチのオフを検知し、前記第２の手順で前記データインを検知したとき、前記制御装置に供給される電源供給手段をネットワーク装置に接続された他の装置からの電源入力手段に切り換える第３の手順と、を備えていることを特徴とする。
【００２０】
なお、後述の実施形態では、汎用電源は第１の外部電源供給源２１０に、主電源スイッチはメカニカルスイッチ１１０に、電源切り換え手段はスイッチ１５１及びＮＡＮＤ回路１５４に、スイッチオフ検知手段はメカスイッチ検知部１２０に、データイン検知手段は印刷データ検知部１５３に、制御装置は符号１５０に、汎用電源以外の電源は第２の外部電源供給源２２０に、画像形成装置は符号１００に、電源入力手段はＰｏＥ２３０に、第１の記憶手段は不揮発性メモリ１５８ａに、第２の記憶手段は記憶装置１５９に、印刷ジョブの要求元へ通知する通知手段は制御回路１５０（ＣＰＵ１５５）に、電源オフ手段はＣＰＵ１５５及び電源制御信号ＳＧ４に、それぞれ対応する。
【発明の効果】
【００２１】
本発明によれば、主電源スイッチのオフを検知し、他機器からのデータを受け付けていることを示すデータインを検知したとき、制御装置全体に供給される電源供給手段を前記汎用電源以外の電源に切り換えるので、突然の主電源スイッチオフの場合においても作業中のデータを失うことなく処理することができる。
【発明を実施するための最良の形態】
【００２２】
以下、図面を参照し、本発明の実施形態について各実施例毎に説明する。
【実施例１】
【００２３】
図１は実施例１に係る画像形成装置のシステム構成を示すブロック図である。  
図１において、本実施例に係る画像形成装置１００は、メカニカルスイッチ１１０、メカスイッチ検知部１２０、ＡＣ／ＤＣ（交流・直流）変換部１３０、及び制御装置（ＣＴＬ）１５０から基本的に構成され、第１及び第２の外部電源供給源２１０，２２０から電源供給が可能となっている。第１の外部電源供給源（図では外部電源供給源１と記す）２１０は画像形成装置１００の主電源のＯＦＦ／ＯＮを設定するメカニカルスイッチ１１０に接続され、制御装置１５０には第２の外部電源供給源（図では外部電源供給源２と記す）２２０がスイッチ１５１の一方の端子（以下、Ｂ端子と称す）を介して接続されている。
【００２４】
制御装置１５０はスイッチ１５１、ＣＴＬ電源生成部１５２、印刷データ検知部１５３及びＮＡＮＤ回路１５４を備え、第１の外部電源供給源２１０は、ＡＣ／ＤＣ（交流・直流）変換部１３０を介して前記スイッチ１５１の他方の端子（以下、Ａ端子と称す）を介して制御装置１５０に接続されている。また、メカニカルスイッチ１１０のＯＮ／ＯＦＦ信号は、メカスイッチ検知部１２０を介してＮＡＮＤ回路１５４の一方の端子に入力される。ＮＡＮＤ回路１５４の他方の端子には、印刷データ検知部１５３の検知信号が入力され、ＮＡＮＤ回路１５４の出力側はスイッチ１５１のＤＴ端子に接続されている。制御装置１５０の電源はＤＣ５Ｖであり、外部電源供給源２２０は大容量電池（バッテリ）等のＤＣ電源である。
【００２５】
このように構成されたシステムでは、画像形成装置１００に電源が投入された状態でメカニカルスイッチ１１０が、ユーザによってＯＦＦされた場合、メカスイッチ検知部１２０でスイッチＯＦＦを検知したことを示す信号ＳＧ１を発生させる。また、印刷データ検知部１５３は、図示しないホストＰＣにより印刷ジョブを受け付けたときに、印刷準備中（又は印刷中）であることを示す信号ＳＧ２を出力する。この信号ＳＧ２は、ホストＰＣからの印刷ジョブ検知から印刷ジョブ処理終了まで出力される。前記２つの発生した信号ＳＧ１，ＳＧ２の条件に基づきＮＡＮＤ回路１５４によってスイッチ１５１がＡ側の端子からＢ側の端子へ切り換えられ、ＣＴＬ電源生成部１５２に供給する電源がＡＣ／ＤＣ変換部１３０で生成されたＤＣ５Ｖから外部電源供給源２２０から供給されるＤＣ５Ｖに切り換えられる。それゆえ、本実施例では、メカスイッチ検知部１２０がスイッチオフ検知手段として、また、印刷データ検知部１５３がメカスイッチ検知部１２０として機能する。
【００２６】
図２はこのときの電源切り換え制御の処理手順を示すフローチャートである。同図において、画像形成装置１００が稼働中にメカニカルスイッチ１１０がＯＦＦされ、メカスイッチ検知部１２０がスイッチＯＦＦを検知すると（ステップＳ１０１）、印刷データ検知部１５３からの信号ＳＧ２に基づいてホストＰＣからの印刷要求の有無をチェックし（ステップＳ１０２）、印刷要求がある場合、電源供給源の切り換えをスイッチ１５１に通知し（ステップＳ１０３）、スイッチ１５１を切り換えてＡＣからＤＣに変換した電源から外部電源供給源２２０に切り換えて電源供給を行う（ステップＳ１０４）。一方、ステップＳ１０２で印刷要求がなければスイッチ１５１への切り換え要求を行わず、そのまま電源ＯＦＦとなる。
【００２７】
このように本実施例では、制御装置１５０の電源をオフすべきでないタイミングで主電源スイッチ１１０がオフされても動作が継続できるように電源を供給し続けたいと要求に対して、コントローラシステム全体への電源供給元を制御することができるので、主電源オフによるＡＣ電源からの電源供給が途絶えても、外部電源供給源２２０からＣＴＬ電源生成部１５２へ電力を供給することが可能となる。それゆえ、制御装置１５０はそのまま必要な制御を実行することができる。
【実施例２】
【００２８】
図３は実施例２に係る画像形成装置のシステム構成を示すブロック図である。
【００２９】
この実施例２は、実施例１における外部電源供給源２２０をＰｏＥ（Power over Ethernet)２３０で構成したものである。すなわち、制御装置１５０はＰｏＥの電源受給部ＰＤ（Power Device)２３２を備え、装置の外部にある電源供給部のＰＳＥ(Power Sourcing Equipment)２３１からネットワーク（イーサネット［登録商標］）ケーブル２３３を介し、ＰＤ２３３に電力を供給するように構成されている。ＰｏＥ２３０からは現行仕様で１５．４Ｗの電力を供給することが可能であり、ＰＤ２３２での変換効率を差し引いても、１０Ｗ以上の電力を供給することが可能である。さらに拡張規格では最大３０Ｗまで供給可能となり、制御装置１５０を動作させるには十分な電力である。ＰｏＥ２３０以外の外部ソースでは、これ程大きな電力は供給できないのが現状である。その他の各部は、実施例１と同等に構成され、同等に機能するので、重複する説明は省略する。
【００３０】
図４はこのように構成された実施例２における電源切り換え制御の処理手順を示すフローチャートである。画像形成装置１００が稼働中にメカニカルスイッチ１１０がＯＦＦされ、メカスイッチ検知部１２０がスイッチＯＦＦを検知すると（ステップＳ１０１）、印刷データ検知部１５３からの信号ＳＧ２に基づいてホストＰＣからの印刷要求の有無をチェックし（ステップＳ１０２）、印刷要求がある場合、電源供給源の切り換えをスイッチ１５１に通知し（ステップＳ１０３）、スイッチ１５１を切り換えてＡＣからＤＣに変換した電源からＰｏＥ２３０に切り換え、ＰｏＥ２３０から電源供給を行う（ステップＳ１０４ａ）。一方、ステップＳ１０２で印刷要求がなければスイッチ１５１への切り換え要求を行わず、そのまま電源ＯＦＦとなる。
【００３１】
すなわち、ホストＰＣから印刷ジョブを受け付けて実行処理をしている場合、印刷データ検知部１５３より印刷処理中であることを示す信号ＳＧ２がＮＡＮＤ回路１５４に入り、この状態でメカニカルスイッチ１１０がＯＦＦされた場合、スイッチ１５１がＢ側へ切り換えられ、ＰｏＥ２３０のＰＤ２３２からＣＴＬ電源生成部１５２へ電力が供給される。
【００３２】
このように本実施例では、ホストＰＣから受け付けた印刷ジョブは、主電源オフの操作に影響されず、所定の処理が完了するまでは動作を継続したいという要求に対して、主電源スイッチ１１０のオフを検知し、かつ印刷データインを検知しているときはＰｏＥ２３０からの電源供給に切り換えることができるので、印刷ジョブの処理を実行し続けることが可能となる。ＰｏＥ２３０を使用すれば、バックアップ電池などに切り換える場合には、十分な電力を供給するために非常に大型化してしまうが、本実施例では、大型化せずに電源オフに対応することができる。また、他の代替手段では（ＵＳＢのバスパワー等）制御装置１５０が動作するのに十分な電力は供給できないが、ＰｏＥ２３０を使用すれば、制御装置１５０が通常消費する約１０Ｗ程度の電力を供給することが十分可能であり、印刷ジョブ実行中の電源オフに確実に対応し、印刷を継続することができる。
【実施例３】
【００３３】
図５は実施例３に係る画像形成装置のシステム構成を示すブロック図である。
【００３４】
この実施例３は、実施例２に対して制御装置１５０に、ホストＰＣ２４０から印刷ジョブが転送されてきたときの処理構成を付加した例である。この実施例３では、実施例２に対してイーサネットケーブル２３３に接続されたホストＰＣ２４０を備え、制御装置１５０が、ＣＰＵ１５５、画像処理ＡＳＩＣ１５６、Ｉ／Ｏ  ＡＳＩＣ１５７、不揮発性メモリ１５８ａ、ワークエリアＲＡＭ１５８ｂ、及び記憶装置１５９を備え、イーサネットケーブル２３３を介してホストＰＣから画像データがＩ／ＯＡＳＩＣ１５７に入力され、スイッチ１５１からＣＰＵ１５５に電源の切り換え通知信号ＳＧ３が入力されるようになっている。Ｉ／ＯＡＳＩＣ１５７には、不揮発性メモリ１５８ａと画像処理ＡＳＩＣ１５６が接続され、画像処理ＡＳＩＣ１５６には、ＣＰＵ１５５、ワークエリアＲＡＭ１５８ｂ及び記憶装置１５９が接続されている。
【００３５】
その他の各部は実施例２と同等に構成され、同等に機能するので、重複する説明は省略する。
【００３６】
ＣＰＵ１５５は制御装置１５０を含む画像形成装置１００全体を制御する。不揮発性メモリ１５８ａには、ＣＰＵ１５５が実行するプログラムコードが格納され、ＣＰＵ１５５は不揮発性メモリ１５８ａからプログラムコードを読み出してワークエリアＲＡＭ１５８ｂに展開し、このワークエリアＲＡＭ１５８ｂにプログラムの実行に使用するデータを格納し、格納したデータを使用しながらプログラムコードで定義されたプログラムを実行することにより所定の制御を行う。記憶装置１５９は不揮発性メモリからなり、例えばＥＥＰＲＡＭやハードディスク装置などが使用される。
【００３７】
このように構成されたシステムでは、ホストＰＣ２４０から送信された印刷ジョブは、Ｉ／Ｏ  ＡＳＩＣ１５７へ入り、画像処理ＡＳＩＣ１５６、ＣＰＵ１５５、ワークエリアＲＡＭ１５８ｂ間で画像処理され、ワークエリアＲＡＭ１５８ｂ及び記憶装置１５９のそれぞれに出力データとして保持される。その後、ワークエリアＲＡＭ１５８から画像処理ＡＳＩＣ１５６を介して図示しないプロッタへ出力される。
【００３８】
図６は実施例３における処理手順を示すフローチャートである。同図において、画像形成装置１００が稼働中にメカニカルスイッチ１１０がＯＦＦされ、メカスイッチ検知部１２０がスイッチＯＦＦを検知すると（ステップＳ１０１）、印刷データ検知部１５３からの信号ＳＧ２に基づいてホストＰＣ２４０からの印刷要求の有無をチェックし（ステップＳ１０２ａ）、印刷要求がある場合、電源供給源の切り換えをスイッチ１５１に通知し（ステップＳ１０３）、スイッチ１５１を切り換えてＡＣからＤＣに変換した電源からＰｏＥ２３０に切り換え、ＰｏＥ２３０から電源供給を行う（ステップＳ１０４ａ）。次いで、ＰｏＥ２３０への電源切換信号をＣＰＵ１５５に通知し（ステップＳ１０６）、ＣＰＵ１５５は不揮発性メモリ１５８ａにステータス情報（後述）を保持し（ステップＳ１０７）、処理を終える。一方、ステップＳ１０２で印刷要求がなければスイッチ１５１への切り換え要求を行わず、そのまま電源ＯＦＦとなる。
【００３９】
すなわち、ホストＰＣ２４０から印刷ジョブを受け付けて実行処理をしているとき（既に数頁の印刷出力後の処理を含む）、メカニカルスイッチ１１０がＯＦＦされた場合（ステップＳ１０１）、スイッチ１５１は供給元である電源をＰｏＥ２３０のＰＤ２３２に切り換える（ステップＳ１０４ａ）。このときスイッチ１０１からはＰＤ２３２からの電源供給に切り替わったことを通知する信号がＣＰＵ１５５へ通知される（ステップＳ１０６）。ＣＰＵ１５５は、不揮発性メモリ１５８ａにステータス情報を書き込む（ステップＳ１０７）。なお、前記ステータス情報とは、ここでは、画像形成装置１００の電源が制御装置１５０しか入っておらず、そのためプロッタへは出力できず、処理が途中で終わったことを示す情報を意味している。前記ステータス情報には、印刷が途中で終了したというフラグ、全頁に対し何頁目まで出力したという情報が含まれる。ホストＰＣ２４０からの印刷ジョブは、制御装置１５０の電源が入っているので、全てを処理し、記憶装置１５９へ保持することが可能である。また、数頁印刷中にメカニカルスイッチ１１０がＯＦＦされた場合などは、次回メカニカルスイッチ１１０をＯＮしたとき、未出力頁から出力を開始するか、改めて最初の頁から印刷を開始することも可能である。
【００４０】
このように本実施例では、ホストＰＣ２４０からの印刷出力ジョブが主電源スイッチオフにより、印刷出力ジョブの全てが画像形成装置１００からの出力処理されずに終わったことを情報として残しておきたいという要求に対して、印刷ジョブが途中処理で終了したことを示すステータスが不揮発性メモリ１５８ａに保持されているので、次回主電源ＯＮ時、途中処理の印刷ジョブの有無を知ることが可能となる。これにより、未印刷のデータを出力させることができる。
【００４１】
一方、制御装置１５０に供給される電力をＰｏＥ２３０に切り換えると、その後、画像形成装置１００の他の電装系ユニットには電源が投入されておらず、印刷ジョブを出力するにはＰｏＥ２３０からの電力では不十分である。すなわち、ホストＰＣ２４０から印刷要求をかけた場合、ホストＰＣ２４０が指定した当該ＰｏＥに切り換えられた画像形成装置１００では印刷が実行できない。そこで、このような場合には、ＰｏＥ２３０に電源供給が切り換えられた旨、ホストＰＣ２４０に通知する。
【００４２】
図７はこのときの処理手順を示すフローチャートである。すなわち、本実施例では、図５に示すようにスイッチ１５１から切り換え通知信号ＳＧ３がＣＰＵ１５５に入力されると（ステップＳ１２１−ＹＥＳ）、画像形成装置１００は印刷要求を受け付けられない状態となる。この状態で、画像形成装置１００に対して印刷要求があった場合、制御装置１５０からホストＰＣ２４０の印刷要求元に対して印刷要求が受け付けられないことを通知する（ステップＳ１２２）。その際、イーサネット２３３に接続されたホスト、その他、画像形成装置１００に印刷要求を実行できる全ての装置に対して、前記印刷要求が受け付けられないという情報を通知する。切り換えられていなければ、印刷を実行する（ステップＳ１２３）。
【００４３】
これにより、ホストＰＣ２４０、その他のホスト及び装置を操作するオペレータが、前記該当の画像形成装置１００に対して印刷要求を出した場合、印刷不能であることが分かるので、オペレータは他の画像形成装置に出力先を変更するなどの処置をとることができる。その結果、印刷不能な画像形成装置を指定したことによる出力作業に支障を来すことを回避することができる。
【実施例４】
【００４４】
図８は実施例４に係る画像形成装置のシステム構成を示すブロック図である。
【００４５】
この実施例４は、実施例３に対して制御装置１５０から電源供給される操作部１６０を備えたもので、Ｉ／０  ＡＳＩＣ１５７を介して電源が供給され、操作部１６０には、ディスプレイ１６１が設けられている。その他の各部は実施例３と同等に構成され、同等に機能する。
【００４６】
このように構成すると、画像形成装置１００のＣＰＵ１５５は、ＰｏＥ２３０からの電源供給に切り替わったことを示す信号をスイッチ１５１から受け取ると、画像処理ＡＳＩＣ１５６及びＩ／Ｏ  ＡＳＩＣ１５７を経由して操作部１６０のディスプレイ１６１に、ＰｏＥ２３０からの電源供給に切り替わり、印刷データが記憶装置１５９に記憶されている旨の情報を表示させる。
【００４７】
すなわち、ホストＰＣ２４０から印刷ジョブを受け付けて実行処理をしているとき、メカニカルスイッチ１１０がＯＦＦされた場合、スイッチ１５１は供給元である電源をＰｏＥ２３０のＰＤ２３２に切り換える。このときスイッチ１０１からはＰＤ２３２からの電源供給に切り換わったことを通知する信号がＣＰＵ１５５へ通知される（ステップＳ１０６）。ＣＰＵ１５５は、不揮発性メモリ１５８ａにステータス情報を書き込むと同時に、前述のように操作部１６０のディスプレイ１６１に、ＰｏＥ２３０からの電源供給に切り替わり、印刷データが記憶装置１５９に記憶されている旨の情報を表示させる。
【００４８】
その際、あるいは、前記操作部１６０への表示指示に代えて、あるいは加えてＰＤ２３２を経由しネットワーク越しにホストＰＣ２４０にＰｏＥ２３０からの電源供給に切り換わり、印刷データが不揮発性メモリ１５８ａに記憶されている旨の情報を通知し、表示させるようにすることもできる。
【００４９】
このように本実施例では、ホストＰＣ２４０から印刷ジョブを画像形成装置１００に送りきったが、突然の主電源オフにより全印刷が終了していないことをユーザに知らせたいという要求に対して、印刷ジョブ処理が画像形成装置１００から出力されずに記憶装置１５９に保持されたことをユーザに通知するので、ユーザは全ジョブ印刷が終了していないことを知ることができる。
【００５０】
一方、主電源オン時、ソフトウェアは不揮発性メモリ１５８ａ内のステータス情報にアクセスする。ステータス情報内のフラグがアクティブとなっていれば、ソフトウェアは出力途中のジョブが記憶装置１５９に残っていることを知る。前記記憶装置１５９には印刷ジョブが途中で終了した場合のジョブを保持するエリア（以下、ジョブ保持エリアと称す）が設けられており、前記エリアに残っているジョブが印刷対象となる。実際の印刷出力は前回の印刷で未印刷となっているジョブのみ出力を行うのか、改めて全ジョブを出力するのかは、予めシステムに設定し、あるいは操作部１６０からの選択入力により対応することができる。
【００５１】
図９はこのときの処理手順を示すフローチャートである。この処理では、メカニカルスイッチ１１０がＯＮになると、ワークエリアＲＡＭ１５８ｂに展開されているソフトウェアが不揮発性メモリ１５８ａ内のステータス情報を読み出し（ステップＳ１３１）、ステータス情報内のフラグがアクティブとなっていれば、（ステップＳ１３２）、前記ジョブ保持エリア内のデータを印刷する（ステップＳ１３３）。フラグがアクティブとなっていなければ、印刷しない（ステップＳ１３４）で、そのまま次工程に進む。
【００５２】
また、本実施例では、ホストＰＣ２４０からの印刷ジョブ処理を主電源がオフされても最終頁まで行いたいという要求に対して、主電源オン時又は主電源再投入時、ソフトウェアが不揮発性メモリ１５８ａ内のステータス情報にアクセスし、不揮発性メモリ内のステータス情報に基づいて印刷処理の実行をすることができるので、印刷途中で主電源オフされ、途中出力で終了した場合においても、次回の主電源オンで印刷ジョブを最終頁まで出力することが可能となる。
【００５３】
さらに、本実施例においても、制御装置１５０に供給される電力がＰｏＥ２３０に切り換えられると、図７に示したように、その旨ホスト側に通知し、オペレータの作業に支障を来さないようにする。
【００５４】
したがって、本実施例では、ホストＰＣ２４０からの印刷ジョブ処理を主電源がオフされても最終頁まで行いたいという要求に対して、主電源オン又は主電源再投入時、不揮発性メモリ１５８ａ内のステータス情報に基づいて印刷処理の実行をすることができるので、印刷途中で主電源オフされ、途中出力で終了した場合などは次回の主電源オンで印刷ジョブを最終頁まで出力することが可能となる。
【実施例５】
【００５５】
図１０は実施例５に係る画像形成装置のシステム構成を示すブロック図である。
【００５６】
この実施例５は実施例４に対してＣＰＵ１５５からＰＤ２３２に電源制御信号を出力するようにしたものである。その他の各部は図８に示した実施例４と同等に構成され、同等に機能する。
【００５７】
この実施例５では、前述の実施例４の動作に加え、図１０に示すようにＣＰＵ１５５が、電源供給がＰｏＥ２３０からのものに切り換えられたことを示す切り換え通知信号ＳＧ３をスイッチ１５１から受け取ると、ワークエリアＲＡＭ１５８ｂからプロッタへの出力を中断し、記憶装置１５９内にある出力データ、すなわちホストＰＣ２４０からの印刷ジョブを出力画像処理したデータをジョブ保持エリアに移動させ、その後の印刷ジョブ、すなわちホストＰＣ２４０から送信されてくる印刷ジョブは、画像処理ＡＳＩＣ１５６で画像処理が施され、さらにワークエリアＲＡＭ１５８で出力画像処理後、前記記憶装置１５９内のジョブ保持エリアに出力データとして保持される。ＣＰＵ１５５はホストＰＣ２４０からの印刷ジョブ処理が終了し次第、電源制御信号ＳＧ４をＰＤ２３２に出力する。ＰＤ２３２は、この電源制御信号ＳＧ４に基づいてＰＤ２３２からの電源供給を遮断する。
【００５８】
図１１はこのときの処理手順を示すフローチャートである。ステップＳ１０１からステップＳ１０７までは実施例３における図６のフローチャートと同様である。すなわち、画像形成装置１００が稼働中にメカニカルスイッチ１１０がＯＦＦされ、メカスイッチ検知部１２０がスイッチＯＦＦを検知すると（ステップＳ１０１）、印刷データ検知部１５３からの信号ＳＧ２に基づいてホストＰＣ２４０からの印刷要求の有無をチェックし（ステップＳ１０２ａ）、印刷要求がある場合、電源供給源の切り換えをスイッチ１５１に通知し（ステップＳ１０３）、スイッチ１５１を切り換えてＡＣからＤＣに変換した電源からＰｏＥ２３０に切り換え、ＰｏＥ２３０から電源供給を行う（ステップＳ１０４ａ）。次いで、ＰｏＥ２３０への電源切換信号をＣＰＵ１５５に通知し（ステップＳ１０６）、ＣＰＵ１５５は不揮発性メモリ１５８ａに前述のステータス情報を保持するとともに（ステップＳ１０７）、印刷ジョブは記憶装置１５９に保持される（ステップＳ１０８）。一方、ステップＳ１０２で印刷要求がなければスイッチ１５１への切り換え要求を行わず、そのまま電源ＯＦＦとなる。
【００５９】
ステップＳ１０８で保持された印刷ジョブは、実施例４と同様に、ＣＰＵ１５５から全印刷ジョブが出力されずに記憶装置１５９に保持されたことをホストＰＣ２４０に通知し、自身のディスプレイ１６１に表示する（ステップＳ１０９）。あるいは、ホストＰＣ２４０に通知することなくその旨、自身のディスプレイ１６１に表示する（ステップＳ１０９）。その後、ＣＰＵ１５５からＰＤ２３２に電源遮断信号ＳＧ４を出力する（ステップＳ１１０）。
【００６０】
なお、図８に示した実施例４では、ＣＰＵ１５５から電源遮断信号ＳＧ４が出力されないので、ステップＳ１０１からステップＳ１０９まで実行される。
【００６１】
このように本実施例では、データ処理後は電源を遮断したい、また無駄な電力を削減したいという要求に応じて、所定の処理終了後、ＰｏＥ２３０からの電源供給をオフすることができるので、システムの状態をユーザが意図した主電源オフの状態にすることが可能となる。また、無駄な電力を削減することが可能となる。
【図面の簡単な説明】
【００６２】
【図１】本発明の実施例１に係る画像形成装置のシステム構成を示すブロック図である。
【図２】実施例１における電源切り換え制御の処理手順を示すフローチャートである。
【図３】本発明の実施例２に係る画像形成装置のシステム構成を示すブロック図である。
【図４】実施例２における電源切り換え制御の処理手順を示すフローチャートである。
【図５】本発明の実施例３に係る画像形成装置のシステム構成を示すブロック図である。
【図６】実施例３における電源切り換え制御の処理手順を示すフローチャートである。
【図７】実施例３における印刷要求が受け付けられないという情報を通知する処理の処理手順を示すフローチャートである。
【図８】本発明の実施例４に係る画像形成装置のシステム構成を示すブロック図である。
【図９】実施例４における主電源オン時、不揮発性メモリ内のステータス情報にアクセスして処理する処理手順を示すフローチャートである。
【図１０】本発明の実施例５に係る画像形成装置のシステム構成を示すブロック図である。
【図１１】実施例５における電源制御信号に基づいてＰＤからの電源供給を遮断する処理の処理手順を示すフローチャートである。
【符号の説明】
【００６３】
２１０  第１の外部電源供給源
１１０  メカニカルスイッチ
１５１  スイッチ
１５４  ＮＡＮＤ回路
１２０  メカスイッチ検知部
１５３  印刷データ検知部
１５０  制御装置
２２０  第２の外部電源供給源
１００  画像形成装置
２３０  ＰｏＥ
１５８ａ  不揮発性メモリ
１５９  記憶装置
１５５  ＣＰＵ
ＳＧ４  電源制御信号
【図１】
2010129042.tif 000003
【図２】
2010129042.tif 000004
【図３】
2010129042.tif 000005
【図４】
2010129042.tif 000006
【図５】
2010129042.tif 000007
【図６】
2010129042.tif 000008
【図７】
2010129042.tif 000009
【図８】
2010129042.tif 000010
【図９】
2010129042.tif 000011
【図１０】
2010129042.tif 000012
【図１１】
2010129042.tif 000013